(57)【要約】【課題】日焼けし易い部分を効果的に被って日焼けを防ぎしかも上着内に熱気がこもらず、冷房が効いた屋内では冷房による冷えを防ぐための上着となる日焼け防止用着衣を提供することを課題とする。【解決手段】首周りを被う帯状の首部被い部の偏芯位置したところから胸部被い部を垂下して構成した日除け部材を、着脱自在に着衣に係着する構造とすることで屋外では日焼け防止用着衣となり冷房の効いた屋内では、日除け部材を外して冷えを防ぐ着衣として着用可能とする。また、着衣の胴部を開放し、さらに胸部被い部の裏面に間隔を有してピンタックを複数縦設し、下に着た衣服との間に隙間を形成して体の前面で受けた空気が通り、首被い部と首の間へ抜けて放熱する構造とした。【選択図】    図５
2008308789.tif 000002
【特許請求の範囲】
【請求項１】
着用した際着用者の胸部が解放される立襟のない着衣において、着用者の首周りおよび胸部を被う日除け部材を前記着衣の首周りに着脱自在に装着したものであって、前記日除け部材は、着用者の首周りを被う帯状の首被い部と、この首被い部の長手方向における中央よりも右側（または左側）に偏心位置したところから垂下して着用者の胸部を被う胸部被い部とから構成し、前記胸部被い部は、その裏側でかつ下端から間隔を有して縦設された複数個の所定長のピンタックを有し、前記首被い部の長手方向の両端部には、該両端部分を相互に着脱自在に取着する面ファスナーを設け、上記着衣を着用した状態で、この面ファスナーが着用者の前中心よりも左側（または右側）に位置するように前記日除け部材を着衣の後方の上端部分に着脱自在に装着すると共に、着用者の胸部を被った前記胸部被い部が左右に位置する着衣に着脱自在に取り付けられる係着部材を、前記胸部被い部と前記着衣に夫々設けたことを特徴とする着衣。
【発明の詳細な説明】
【技術分野】
【０００１】
本発明は、首と胸元部分の日焼け防止に効果のある着衣に関するものである。
【背景技術】
【０００２】
紫外線が肌に及ぼす影響は単に皮膚が黒くなりシミやしわが増えるだけでなく、  皮膚がんの原因になることも明らかとなり美容と健康の両面から日焼けを防止するための着衣が工夫されるようになった。紫外線の強い時期は気温の高い時期でもあるので衣服は胸元や背中が開いた薄物となり戸外では日焼けが心配であるが、体を着衣で被うと着衣内に熱気がこもり暑さを増すという不都合が生じる。
【０００３】
特許文献１では前打ち合わせがなく手の甲まで被う袖を備えた日焼け防止用着衣が提案されている。  
【特許文献１】実用新案登録第３０９９６７２号公報
【発明の開示】
【発明が解決しようとする課題】
【０００４】
特許文献１の日焼け防止用着衣は、胸部から腹部にかけて広く開いた身頃となる構成で、首と胸元は日焼けに対して何の対策もなされていない。
【０００５】
本発明は、日焼けし易い部分を効果的に被って日焼けを防ぎしかも着衣内に熱気がこもらず、冷房が効いた屋内では冷えすぎを防ぐための着衣となる日焼け防止用着衣を提供することを課題とする。
【課題を解決するための手段】
【０００６】
本発明は上記した課題を解決するためになされたものであり、請求項１記載の着衣は、着用した際着用者の胸部が解放される立襟のない着衣において、着用者の首周りおよび胸部を被う日除け部材を前記着衣の首周りに着脱自在に装着したものであって、前記日除け部材は、着用者の首周りを被う帯状の首被い部と、この首被い部の長手方向における中央よりも右側（または左側）に偏心位置したところから垂下して着用者の胸部を被う胸部被い部とから構成し、前記胸部被い部は、その裏側でかつ下端から間隔を有して縦設された複数個の所定長のピンタックを有し、前記首被い部の長手方向の両端部には、該両端部分を相互に着脱自在に取着する面ファスナーを設け、上記着衣を着用した状態で、この面ファスナーが着用者の前中心よりも左側（または右側）に位置するように前記日除け部材を着衣の後方の上端部分に着脱自在に装着すると共に、着用者の胸部を被った前記胸部被い部が左右に位置する着衣に着脱自在に取り付けられる係着部材を、前記胸部被い部と前記着衣に夫々設けたことを特徴とする。
【発明の効果】
【０００７】
紫外線は薄物の衣服を透過して皮膚に至り日焼けをおこすので戸外では直接日光に晒される部分だけでなく衣服で被われている部分にも日焼けを防ぐ対策を要するが、また同時に、暑い時期に着衣を重ねるので着衣内に熱気がこもらない配慮も必要である。本発明の着衣は日焼けの程度の低い腹部を開放することにより、胴回りの着衣内に熱気がこもらない効果を奏する。
【０００８】
胸部被い部は、上辺が首被い部の前面下部とつながり下辺はバストトップの少し上方に位置し、左右の辺は其々左右に位置する着衣と係着する構成である。また、裏面に複数のピンタックを間隔を有して縦設するので、下に着ている衣服との間に縦方向の隙間が複数形成されてバイク等で走行する折には体の前面に受ける空気が、また自動車を運転する折にはエアコンから吹き出る空気が、胸から首への傾斜上に上下方向に形成されたトンネル状の隙間に入り、首周りをゆるく被った首被い布と首との間へと通り抜けて熱気を逃す。なお、ピンタック加工についてはタックの生地幅を折れない程度に広くとると、ひだが深くなるので隙間が広くなり空気が入り易くなって熱気を放出する効果が増大する。
【０００９】
着衣と日除け部材との着脱部はボタンや面テープだけでなくホック等、他の着脱部材を用いてもよい。
【００１０】
略長方形のショール状のものを着衣とした場合、両端には手の甲を被う被い布を設け、長手方向中央部の上端部分にボタンホールを設けて日除け部材を装着すると、日焼けをおこしやすい肩や背中、腕、手の甲、それに首と胸部を被う日除けショールとなり、着衣内には熱気がこもらず、日除け部材を取り外せば屋内で冷房による冷えすぎを防ぐショールとしてデザイン的に無理なく用いることができる。さらに、この場合、日除け部材だけを収納すればよいので嵩高い荷物を持て余すこともない。
【００１１】
ショール状の着衣だけでなく、左右の前身頃を有し着用した際着用者の胸部が開放される立襟のない着衣に日除け部材を装着した場合も同様の効果を得ることができる。                  
【発明を実施するための最良の形態】
【００１２】
以下、本発明の詳細を図面に基づき説明する。図１は、日除け部材５を装着していないショール状の着衣１を示す図である。上辺に沿ったボタンホール４１は胸被い部７の左右の辺に設けたボタン９１に係着するもので、中央のボタンホール４２は首被い部６の首の後ろに当たる部分に設けたボタン９２に係着する。
【００１３】
図２は日除け部材５を示し、首周りを被う首被い部６とこの首被い部６の長手方向における中央よりも右側に偏心位置したところから垂下して胸部を被う胸被い部７から構成される。首被い部６の長手方向の両端部には着脱自在の面ファスナー１０を設ける。胸部被い部７のボタン９１は左右に位置する着衣21,22のボタンホール４１係着し、首被い部６のボタン９２は後ろに位置する着衣３のボタンホール４２と係着する。
【００１４】
図３は、日除け部材５を着衣１に装着したものを裏面から見た拡大図である。後ろに位置する着衣３の上端部分に首被い部６を係着し右に位置する着衣２１に胸部被い部７を係着して装着したものである。何れも裏面であるから首被い部6、胸部被い部７ともボタン付け糸３１が見える。胸部被い部７の裏面には所定長のピンタック８１を複数個間隔を有して縦設している。ピンタック加工は、タック幅が広すぎると使用しているうちにタックが畳まれた状態になり隙間が狭くなることがあるので４ｍｍ程度とし、胸部被い部７の上端近くまで縦設すると下の衣服との間に胸から首に向かう隙間が形成されて体の前面に受ける空気が流れ込み、首と首被い部６の間を通って顎へと抜ける気流となるので放熱の効果を奏する。
【００１５】
ショール状のものを着衣とする場合は、後ろに位置する着衣部分３の日除け部材５を装着する個所に襟ぐりを設け、胸部被い部７の横幅を前身頃を備えた着衣１２に用いるときより広く構成すると、より体形に沿い易くなる。
【００１６】
図３で示すように、後ろに位置する着衣３と首被い部６を係着し右に位置する着衣２１に胸部被い部７を係着すると、首被い部６の面ファスナー１０を備えた端と左に位置する着衣２２が一連の開きを形成するので、この状態でショールを羽織り、首被い部６両端の面ファスナー１０を留め左に位置する着衣２２に設けたボタンホール４１と胸部被い部７のボタン9１を留めると着用できる。
【００１７】
図４は着衣１１に日除け部５を装着した着衣全体１１正前面を示す。袖口には手の甲の日除けとなる手の甲被い部３２を有し、手の甲被い部３２の内側には該被い布がずれないように手指と係止するための輪状の止め部を設けその輪に手指を通して着用する構造である。
【００１８】
図５はショール状着衣1１に日除け部材５を装着したものを着用した図を示す。
【００１９】
図６（a）は左右の前身頃を有し着用した際着用者の胸部が開放される立襟のない着衣の前面図で、（ｂ）は左右の前身頃を有し着用した際着用者の胸部が開放される立襟のない着衣に日除け部材５を装着したものを着用した図を示す。
【００２０】
図７は、右に位置する着衣２１と左に位置する着衣２２に胸部被い部７をボタン９１にて係着した断面図を示す。胸部被い部７にはその裏面にピンタック加工によるひだ８１を有し表面にはピンタック加工による縫い線８２を有する。
【００２１】
着衣と、日除け部材を紫外線遮蔽効果を有する生地により構成すると日焼け防止の効果が一層確かなものとなる。
【００２２】
屋内では日除け部5を外して冷えすぎ防止のための着衣１として用いることができる。この場合、日除け部材５だけを収納すれば良いので荷物が嵩張って困ることもなく、また、着衣１２は手の甲被い部１３を折り曲げると通常のジャケットとなるデザインなので便利である。
【図面の簡単な説明】
【００２３】
【図１】ショール状の着衣を表す。
【図２】首被い部と胸部被い部とからなる日除け部材の前方から見た拡大図である。
【図３】ショール状着衣に日除け部材を装着した部分を裏側から見た図である。
【図４】ショール状着衣に日除け部材を装着して胸部被い部を右に位置する着衣と左に位置する着衣に係着した図である。
【図５】ショール状着衣に日除け部材を装着して着用した図である。
【図６】（a）左右の前身頃を有し、着用した際着用者の胸部が開放される立襟のない着衣の前面図、（ｂ）前記着衣に日除け部材を装着したしたものの正面図である。
【図７】右に位置する着衣と左に位置する着衣に胸部被い部をボタンにて係着した断面図である。
【符号の説明】
【００２４】
１１、        ショール状着衣
１２、        左右の前身頃を有し着用した際着用者の胸部が開放される立襟のない着衣
２１、        右に位置する着衣
２２、        左に位置する着衣      
３、          後ろに位置する着衣
４１、        前面左右に位置する着衣のボタンホール
４２、        後面に位置するボタンホール
５、          日除け部材
６、          首被い部
７、          胸部被い部
８１、        ピンタック加工によるひだ        
８２、        ピンタック加工の裏面
９１、        胸部被い部のボタン
９２、        首被い部のボタン
１０、        面テープ
３１、        ボタン付け糸
３２、        手の甲被い部
【図１】
2008308789.tif 000003
【図２】
2008308789.tif 000004
【図３】
2008308789.tif 000005
【図４】
2008308789.tif 000006
【図５】
2008308789.tif 000007
【図６】
2008308789.tif 000008
【図７】
2008308789.tif 000009